(57)【特許請求の範囲】
【請求項１】
複数の紙幣が載置される紙幣載置部と、該紙幣載置部に載置された前記紙幣を１枚ずつ繰出す繰出手段と、該繰出手段によって繰出された前記紙幣を集積部へと搬送する搬送手段と、前記繰出手段と前記集積部との間に位置し前記紙幣についての真偽判別を行う判別原理の異なる複数種類の検出器で構成される真偽判別手段とを有する紙幣計数機において、
紙幣の種類と該紙幣に対応して前記判別原理の異なる複数種類の検出器の中から選択された検出器群とが関連付けられて予め記憶されている紙幣種類記憶手段と、該紙幣種類記憶手段に記憶された紙幣の種類を計数対象紙幣として選択する紙幣種類選択手段とをさらに有し、
該紙幣種類選択手段により紙幣が選択されることに応じて、前記紙幣種類記憶手段に予め記憶されている対応する前記検出器群を特定し、該特定された検出器群によって真偽判別を行うことを特徴とする紙幣計数機。
【請求項２】
前記紙幣種類記憶手段に予め記憶される紙幣の種類は、少なくともユーロ紙幣と米国ドル紙幣を含むものであることを特徴とする請求項１に記載の紙幣計数機。
【請求項３】
前記米国ドル紙幣は、１００ドル額面のものとそれ以外の額面のものとに区別され、各々に対して判別原理の異なる複数種類の検出器にて真偽判別されることを特徴とする請求項２に記載の紙幣計数機。
【発明の詳細な説明】
【０００１】
【発明の属する技術分野】
本発明は複数種類の真偽判別手段を備えた紙幣計数機に関するもので、特に紙幣の偽造防止対策上の特徴が各々異なっている複数国の紙幣を容易に扱えるようにした紙幣計数機に関する。
【０００２】
【従来の技術】
紙幣の真偽判別機能を備えた紙幣計数機としては、大別して２種類ある。
【０００３】
第１のタイプの紙幣計数機は、対象紙幣の金種を特定しこの特定された金種の特徴に基づいて真偽判別を行うものである。
【０００４】
一方、第２のタイプのものは、金種を特定することなく真偽判別を行うものであって、金種に依存しない特徴によって真偽判別を行うようにしたものである。
【０００５】
上記第２のタイプに属するもので、種類の異なった複数の真偽判別手段（検出器）を併用することは公知であり、例えば米国特許第4114804号や同一出願人による特開昭53−44089号公報に示される紙幣計数機がある。
【０００６】
これらの公報には真偽判別手段として、磁気インク検出のための手段と蛍光反応検出のための手段とが開示されており、被検紙幣について磁気インクが検出されて且つ蛍光反応未検出であった場合に、この被検紙幣を真券と判断するようにしている。
【０００７】
【発明が解決しようとする課題】
そもそも上記公報のものは、その明細書中にも述べられているように、専ら米国紙幣を想定したものであり、米国紙幣の特徴に合わせて真偽判別手段を選定し組合せたものである。
【０００８】
ところでユーロ圏においては、ユーロ紙幣のみならず世界的に流通している米国ドル純幣を扱える真偽判別機能を備えた紙幣計数機が望まれていている。さらにユーロ圏近隣国においては、上記ユーロ紙幣及び米国ドル紙幣に加えて自国の紙幣も扱える真偽判別機能を備えた紙幣計数機が望まれている。
【０００９】
各国毎に偽造防止対策の内容が異なっており、例えば、赤外線吸収インクの採用、スレッドの織り込み等様々な工夫がなされていて、これらの紙幣を扱えるようにするためには、赤外線吸収インク検出器やスレッド検出器の採用が当然必要となる。
【００１０】
これら種々の偽造防止対策に対応する複数の真偽判別機能を搭載することで、多くの国の紙幣を扱える汎用の紙幣計数機とすることができることになる。
【００１１】
ところが、この汎用の紙幣計数機を使いこなすためには、操作者が被検紙幣についての偽造防止対策の内容を知得した上で、この偽造防止対策に対応した真偽判別の検出器の設定を行う必要があるため、煩雑な設定操作を強いられ使い勝手の悪いものとなってしまう。
【００１２】
本発明は上記に鑑みなされたものであり、主要な発行国の紙幣（例えばユーロ紙幣や米国ドル紙幣）については、その偽造防止対策に対応する真偽判別に有効な検出器を指定することを必要とせずに、ただ、当該発行国の紙幣の種類を指定するのみで計数が可能な紙幣計数機の提供を目的としている。
【００１３】
【課題を解決するための手段】
本発明は、偽造防止対策に対応する真偽判別に有効な検出器を指定することを必要とせずに、ただ、当該発行国の紙幣の種類を指定するのみで計数が可能な紙幣計数機に関し、本発明の上記目的は、複数の紙幣が載置される紙幣載置部と、該紙幣載置部に載置された前記紙幣を１枚ずつ繰出す繰出手段と、該繰出手段によって繰出された前記紙幣を集積部へと搬送する搬送手段と、前記繰出手段と前記集積部との間に位置し前記紙幣についての真偽判別を行う判別原理の異なる複数種類の検出器で構成される真偽判別手段とを有する紙幣計数機において、紙幣の種類と該紙幣に対応して前記判別原理の異なる複数種類の検出器の中から選択された検出器群とが関連付けられて予め記憶されている紙幣種類記憶手段と、該紙幣種類記憶手段に記憶された紙幣の種類を計数対象紙幣として選択する紙幣種類選択手段とをさらに有し、該紙幣種類選択手段により紙幣が選択されることに応じて、前記紙幣種類記憶手段に予め記憶されている対応する前記検出器群を特定し、該特定された検出器群によって真偽判別を行うことを特徴とする紙幣計数機によって達成される。
【００１４】
また、本発明の上記目的は、前記紙幣種類記憶手段に予め記憶される紙幣の種類を、少なくともユーロ紙幣と米国ドル紙幣を含むようにすることにより、さらには、該米国ドル紙幣を、１００ドル額面のものとそれ以外の額面のものとに区別し、各々に対して判別原理の異なる複数種類の検出器にて真偽判別するようにすることによって、より効果的に達成される。
【００１５】
【発明の実施の形態】
図１は本発明に係る紙幣計数機の外観図であり、同図中１０は紙幣載置部、２０は集積部、３０は操作／表示部、４０は図示しない搬送手段により送られてきた紙幣を１枚毎に各々の羽根間に受け止めて集積部２０に整列集積させる羽根車をそれぞれ示している。
【００１６】
図２は紙幣計数機全体にわたる断面図であり、同図中１０は紙幣載置部、２０は集積部、３０は操作／表示部、４０は羽根車、５０は繰出手段としての繰出ローラ、６０は搬送手段としての搬送ローラ、７０は複数種類の検出器で構成される判別ブロック、８０は集積部２０に紙幣があるか否かを検出するためのスタッカセンサをそれぞれ示している。
【００１７】
図３は真偽判別のための検出器の配置等を示すものである。図３（a）は判別ブロック７０の配置を示す図であり、図２において１点鎖線で囲った部分を拡大し、模式化したものである。また、図３（b）は、図３（a）を上方向から見た図であり、各検出器の相対的な位置関係を示した図である。同図中７１は磁気インクを検出する磁気ヘッドからなる磁気検出器であり、７２は紫外線照射光源７２ａと可視光受光素子７２ｂとからなり、紫外線照射光源７２ａから照射された紫外線により被検紙幣からの蛍光反射光の有無を可視光受光素子７２ｂで検出するタイプの反射型の蛍光反応検出器であり、７３は紙幣のスレッドを検出するスレッド検出器であり、７４は赤外線照射光源７４ａと赤外光受光素子７４ｂとからなり、赤外線照射光源７４ａから照射された赤外線が被検紙幣を透過した後の赤外線の量を赤外光受光素子７４ｂで検出するタイプの透過型の赤外検出器であり、７５は紫外線照射光源７２ａから照射された紫外線が被検紙幣を透過した後の紫外線の量を検出するタイプの透過型の紫外検出器である。又１００は各々の検出器を通過中の紙幣を模式的に示したものである。
【００１８】
図４は紙幣計数機の上部に設けられている操作／表示部３０の一例を示す図であり、表示部３１は計数結果を表示する役目を果たすものであり、例えば７セグメントや液晶パネル等により構成される。判別モード選択手段兼紙幣種類選択手段３２は、ＣＦキーとテンキー３５との組み合わせによって所定の検出器を選択したり被検紙幣の種類を選択したりするためのものである。
【００１９】
本実施例においては、例えば、ＣＦキー３２押下後に「７／ＵＶ」キーを押せば、紫外検出器が有効となり、その状態でさらに「８／ＭＧ」キーを押せば、紫外検出器と磁気検出器の両方が有効となる。この結果、ＣＦキーの右隣のＵＶ及びＭＧの表示ランプが点灯し、これらの検出器が選択されたことを表示する。
【００２０】
また、ＣＦキー３２押下後に「１」キーを押せばＵＳ１００ドル紙幣が選択されたことになり、後述の紙幣種類記憶手段１１０に記憶されているＵＳ１００ドル用の検出器群が選択される。本実施例の場合は、後述のように、この１回の操作によって、磁気検出器、蛍光反応検出器、紫外検出器の３つの検出器が選択されることになる。従って、操作者はＵＳ１００ドル対応の検出器の種類を知らなくても、ＵＳ１００ドルを選択するだけで真偽判別を行うことができる。３３、３４は計数スタートキーであり、前者はAUTO START キーであり、後者はRESTARTキーである。
【００２１】
図５は本実施の形態に係るブロック図である。同図において判別ブロック７０は都合５種類の検出器から構成される。磁気検出器７１として例えば周知の磁気ヘッドが利用できる。蛍光反応検出器７２は紫外線照射光源７２ａと可視光受光素子７２ｂとで構成される。スレッド検出器７３としては例えばヨーロッパ公開特許EP413534に開示されるものを利用できる。赤外検出器７４は赤外線照射光源７４ａと赤外光受光素子７４ｂとで構成される。紫外検出器７５は透過型の紫外光受光素子で構成される。搬送手段６０は紙幣を判別ブロックに送り込むものである。スタッカセンサ８０は集積部の紙幣有無検知を行うものである。操作／表示部３０は偽造の疑いがある紙幣を発見したときにこれを表示する。判別モード選択手段兼幣種類選択手段３２は、以下のいずれかのために使用するためのものである。
【００２２】
第１には、被検紙幣の偽造防止対策の内容を知っている操作者が、該被検紙幣に有効な検出器を選択指定するものであり、この場合、上述のように、例えばＣＦキー３２を押下し、続いてテンキーと兼用の８／ＭＧキーを押下すれば、磁気検出器７１によって真偽判別が行われる。これが判別モード選択であり、従来の方法である。
【００２３】
第２には、本発明に係るもので、紙幣の種類を指定選択するだけで、指定選択された紙幣に有効な検出器が自動的に選択されるようにするためのものであり、この場合例えばＣＦキー３２を押下し、続いてテンキーの１キーを押下すれば、ＵＳ１００ドルモードとなり、このモードにおいては、磁気検出器７１、蛍光反応検出器７２及び紫外検出器７５によって真偽判別が行われる。紙幣種類記憶手段１１０には、少なくともユーロ紙幣及び米国ドル紙幣について各々に有効な検出器が何であるか予め登録されている。具件的には、ユーロ紙幣については磁気検出器、蛍光反応検出器、スレッド検出器及び赤外検出器の都合４種類の検出器群が登録され、米国ドル紙幣については磁気検出器及び蛍光反応検出器の都合２種類の検出器群が登録されている。なお、米国ドル紙幣については額面で区別することが好ましい。具体的には、１００ドル額面とそれ以外に区別し、１００ドル額面については磁気検出器、蛍光反応検出器及び紫外検出器の都合３種類とし、それ以外については前述の磁気検出器及び蛍光反応検出器の都合２種類とすることが、米国ドル紙幣の偽札の現況から見て好ましい。制御部９０は図６のフローチャートに示した処理を所定のプログラムに基づいて実行するためのものである。例えばマイクロコンピュータが利用できる。判定条件記憶手段１２０には、後述のように、真券の場合の各検出器の出力レベルが紙幣の種類毎に記憶されており、このデータと実際の検出値とが比較されて真偽判定がなされる。
【００２４】
次に、本発明に係る紙幣計数機の動作について、図６のフローチャートに基づいて説明する。なお、図６は被検紙幣がＵＳ１００ドルの場合を示しているが、他の紙幣についても同様であることは言うまでもない。
【００２５】
まず、紙幣種類選択手段３２により、ＵＳ１００ドル紙幣を選択する（ステップＳ１）。具体的には、ＣＦキー押下後に１キーを押下する。ＵＳ１００ドル紙幣が選択されると、制御部９０が紙幣種類記憶手段１１０に格納されているＵＳ１００ドル用の検出器群の選択データを読み出す（ステップＳ２）。具体的には、磁気検出器７１、蛍光反応検出器７２及び紫外検出器７５の３種類からなる検出器群を選択するものである。このデータに基づいて制御部９０は該３種類の検出器の出力のみを有効にするように設定を行う（ステップＳ３）。この状態で、対象紙幣であるＵＳ１００ドル紙幣の束を紙幣載置部１０に置く（ステップＳ４）。
【００２６】
次に、操作／表示部３０の計数スタートボタン（AUTO START キー）３３を押下すると（ステップＳ５）、紙幣載置部に紙幣があれば（ステップＳ６の‘ＹＥＳ’）紙幣が搬送され（ステップＳ７）、対象紙幣が判別ブロックを通過し（ステップＳ８）真偽判別された後に、紙幣が集積部２０に整列集積される（ステップＳ９）。
【００２７】
真偽判別の結果、本物（真券）と判定されると（ステップＳ１０の‘ＹＥＳ’）、ステップＳ６に戻り紙幣載置部１０に紙幣がある限り若しくは偽札と判定されるまでは、ステップＳ６からステップＳ１０までを繰り返す。
【００２８】
一方、ステップＳ１０において偽札と判定されると（ステップＳ１０の‘ＮＯ’）、表示部３０に偽札である旨の表示をし、搬送手段を停止する（ステップＳ１１）。そこで、すでにカウントされている紙幣の枚数から１を減ずる（ステップＳ１２）とともに、集積部にある偽札を除去する（ステップＳ１３）。その後、ステップＳ５に戻り、計数スタートボタンを押下し次の紙幣について真偽判別を再開する。このようにして紙幣が紙幣載置部１０になくなるまで計数を行い、紙幣がなくなると（ステップＳ６の‘ＮＯ’）、搬送手段を停止する（ステップＳ１４）。そこで、同じ種類の紙幣についてさらに計数を続行するのであれば（ステップＳ１５の‘ＹＥＳ’）、対象紙幣の束を紙幣載置部１０に置き（ステップＳ４）、計数スタートボタンを押下し、計数を再開する（ステップＳ５）。
【００２９】
なお、ステップＳ１０における検出器ごとの真偽判定の条件は次の通りである。
【００３０】
(1)磁気検出器…磁気が検出されるものが真券である。
【００３１】
(2)蛍光反応検出器…蛍光反応が検知されないものが真券である。従って、蛍光反応があるものは偽札ということになる。
【００３２】
(3)紙幣を透過した紫外線の出力が、ある一定のレベルに満たないものが偽札である。偽札は紫外線の透過が少ないという特徴を利用したものであり、基準となるレベルは実験をもとに設定される。
【００３３】
(4)スレッド検出器…出力があるものが真券であり、スレッドが存在していることを示している。
【００３４】
(5)赤外検出器…真券には赤外線吸収インクが存在しているので、照射した赤外線が吸収され、赤外線の透過量が減る。従って赤外光受光素子７４ｂで検出される受光量が真券と比較して多いのが偽札ということになる。基準レベルは紙幣の種類ごとに予め定められる。
【００３５】
以上の判定条件は判定条件記憶手段１２０に格納されている。
【００３６】
本紙幣計数機では多くの国の紙幣を処理可能とする為、都合５種類の検出器を備えているので、本来的には個々の国の紙幣も予め登録しておくべきとの考え方もあるが、その場合、多くのメモリエリアを占有することにもつながり、又操作が煩雑となることから、ごく限られた主要な種類の紙幣のみを登録することとしている。これに伴って、登録されていない紙幣については、従来のように操作者が自らその紙幣に有効な検出器を選択指定する必要が生じる。
【００３７】
例えば、ユーロ圏近隣国の一つであるチェコの紙幣を計数対象とする場合には、蛍光反応検出器、スレッド検出器及び赤外検出器の都合３種類の選択指定が必要であり、同じくユーロ圏近隣国の一つであるハンガリーの紙幣を計数対象とする場合には、磁気検出器、蛍光反応検出器及び赤外検出器の都合３種類の選択指定が必要である。
【００３８】
【発明の効果】
請求項１の発明では、紙幣の種類毎（発行国毎）に各々の紙幣についてどの検出器が有効であるかを予め登録し、操作者による紙幣の種類の選択操作を行うだけで、選択された紙幣に対応した検出器で真偽判別が行われるようにした。このことにより、選択した紙幣についてどの検出器で真偽判別を行うのかの設定操作が不要となり操作性が向上するし、更に操作者が選択した紙幣についてどの検出器が有効であるかを知らなくてもよいことになる。
【００３９】
請求項２の発明では、予め登録する紙幣の種類毎（発行国毎）の紙幣として、少なくともユーロ紙幣と米国ドル紙幣を含めたので、これらの種類の紙幣について操作者による検出器の指定操作が不要となり操作性が向上する。
【００４０】
請求項３の発明では、米国ドル紙幣を１００ドル額面のものとそれ以外の額面のものとに区分し、各々に対して判別原理の異なる検出器で真偽判別することとし、米国ドル紙幣の偽札の現況に対処できるようになる。
【図面の簡単な説明】
【図１】本発明に係る紙幣計数機の実施例の外観図である。
【図２】紙幣計数機の内部構造を示す縦断面図である。
【図３】真偽判別のための検出器の配置等を示すものである。
【図４】操作／表示部の一例を示す図である。
【図５】本発明に係る紙幣計数機の構成を示すブロック図である。
【図６】本発明に係る紙幣計数機による真偽判別及び計数のフローチャートである。
【符号の説明】
１０    紙幣載置部
２０    集積部
３０    操作／表示部
３１    表示部
３２    判別モード選択手段兼紙幣種類選択手段
３３    計数スタートボタン（AUTO STARTキー）
３４    計数スタートボタン（RESTARTキー）
３５    テンキー
４０    羽根車
５０    繰出ローラ
６０    搬送ローラ（搬送手段）
７０    真偽判別ブロック
７１    磁気検出器
７２    蛍光反応検出器
７３    スレッド検出器
７４    赤外検出器
７５    紫外検出器
８０    スタッカセンサ
９０    制御部
１００  紙幣
１１０  紙幣種類記憶手段
１２０  判定条件記憶手段
【図１】
0003917412.tif 000002
【図２】
0003917412.tif 000003
【図３】
0003917412.tif 000004
【図４】
0003917412.tif 000005
【図５】
0003917412.tif 000006
【図６】
0003917412.tif 000007